(57)【要約】【課題】屋外床の使用可能な床面積を広くし得る縦引き排水用のルーフドレンを提供する。【解決手段】ドレン本体２の垂直受部１１を屋外壁８２の壁面８２ａに設置し且つ水平受部１２を屋外床８１の床面８１ａに設置することにより、該壁面８２ａと床面８１ａとの入隅部８３に配設されるルーフドレン１であって、水平受部１２に、上下方向に通水可能な通水孔１５を備えた縦引管部１６が下方へ突成されてなる構成である。かかる構成によれば、壁面８２ａの近傍に配設できるため、バルコニー等の屋外床８１を広く使うことができる。【選択図】図１
2020197053.tif 000002
【特許請求の範囲】
【請求項１】
屋外壁の壁面に設置される垂直受部と屋外床の床面に設置される水平受部とを備え、該壁面と床面とが交わる入隅部に配設されるドレン本体と、
前記ドレン本体に取り付けられるストレーナと
を備えたルーフドレンであって、
前記ドレン本体の水平受部は、上下方向に通水可能な通水孔を内部に備えた縦引管部が下方に突成されてなるものであることを特徴とするルーフドレン。
【請求項２】
請求項１に記載のルーフドレンを備え、屋外壁と、該屋外壁に連成された屋外床とを備えた建屋に設けられる建屋排水装置であって、
前記ルーフドレンは、縦引管部が屋外床を上下方向に貫通する貫通孔に嵌入されて、該屋外床の床面と前記屋外壁の壁面との入隅部に配設されるものであり、
前記貫通孔に挿入される上端部が前記縦引管部に連結され、前記ルーフドレンの通水孔を介して流入した水を流下させる縦樋管と、
一端部が屋外壁の外側に設けられる軒樋に連結され且つ他端部が連結手段を介して前記縦樋管に連結され、前記軒樋の水を該縦樋管に流す連絡樋管と
を備えてなるものであることを特徴とする建屋排水装置。
【発明の詳細な説明】
【技術分野】
【０００１】
本発明は、屋外床の下方へ排水する縦引き排水用のルーフドレン、および該ルーフドレンを備えた建屋排水装置に関する。
【背景技術】
【０００２】
マンションやビル等の建屋の屋上やバルコニー等は、パラペットと呼ばれる屋外壁により囲まれており、屋上やバルコニー等の床（以下、屋外床という）上に溜まった雨水を排水するためのルーフドレンが配設される。こうしたルーフドレンとしては、屋外壁の外側へ排水するための所謂横引き排水用のものと、屋外床の下方へ排水するための所謂縦引き排水用のものとが知られている。ここで、横引き排水用のルーフドレンを配設する場合には、屋外壁の外側へ排水するために、該屋外壁を貫通する横孔を設ける必要がある。そのため、屋外壁の壁厚が比較的厚い場所では、長い横孔を設ける横引き排水用のルーフドレンが不向きであり、縦引き排水用のルーフドレンが適用される。
【０００３】
こうした縦引き排水用のルーフドレンとしては、例えば特許文献１に記載の構成が知られている。具体的には、図５に示すように、屋外床Ｆの床面Ｆ’に配設されるドレン本体１０２と、該ドレン本体１０２を通水可能に覆うストレーナ１０６とを備えたルーフドレン１０１である。ここで、ドレン本体１０２は、円環状の受皿部１０３と、該受皿部１０３の中央から下方に連成され、上下方向に通水可能な通水孔１０５を内部に有する縦引管部１０４とを備えてなる。かかる構成のルーフドレン１０１は、屋外床Ｆを上下方向に貫通する貫通孔Ｈに、縦引管部１０４が嵌入されて、該屋外床Ｆの床面Ｆ’に配設される。そして、縦引管部１０４に、該貫通孔Ｈに挿入された縦樋管１０９の上端部が連結される。このように配設されたルーフドレン１０１により、屋外床Ｆ上の雨水が縦樋管１０９へ排水される。
【先行技術文献】
【特許文献】
【０００４】
【特許文献１】実開昭６３−１０１３３号公報
【発明の概要】
【発明が解決しようとする課題】
【０００５】
ところで、前述した従来構成の縦引き排水用のルーフドレンは、ドレン本体の受皿部が円環形状であることから、屋外壁の壁面から所定間隔をおいて配設される。そのため、バルコニー等に配設される場合には、バルコニーの使用可能な床面積を狭くしてしまうという問題があった。
【０００６】
本発明は、屋外床の使用可能な床面積を広くし得る縦引き排水用のルーフドレンと、該ルーフドレンを備えた建屋排水装置とを提供することを目的とするものである。
【課題を解決するための手段】
【０００７】
本発明の第一発明は、屋外壁の壁面に設置される垂直受部と屋外床の床面に設置される水平受部とを備え、該壁面と床面とが交わる入隅部に配設されるドレン本体と、前記ドレン本体に取り付けられるストレーナとを備えたルーフドレンであって、前記ドレン本体の水平受部は、上下方向に通水可能な通水孔を内部に備えた縦引管部が下方に突成されてなるものであることを特徴とするルーフドレンである。ここで、ストレーナは、通水孔を通水可能に覆うように、ドレン本体に取り付けられる。
【０００８】
かかる構成にあっては、壁面と床面とが交わる入隅部に配設されるものであることから、前記従来の縦引き排水用の構成（円環形状の受皿部を有する構成）に比して、壁面近くに配設できるため、屋外床の使用可能な床面積を広くとることができる。これにより、例えばバルコニーに配設される場合に、バルコニーを広く使うことができる。
さらに、本構成は、縦引き排水用であることから、壁厚が比較的厚い屋外壁に連成された屋外床に好適に配設することができ、該屋外床上の雨水等を安定して排水することができ得る。
【０００９】
本発明の第二発明は、前記第一発明に記載のルーフドレンを備え、屋外壁と、該屋外壁に連成された屋外床とを備えた建屋に設けられる建屋排水装置であって、前記ルーフドレンは、縦引管部が屋外床を上下方向に貫通する貫通孔に嵌入されて、該屋外床の床面と前記屋外壁の壁面との入隅部に配設されるものであり、前記貫通孔に挿入される上端部が前記縦引管部に連結され、前記ルーフドレンの通水孔を介して流入した水を流下させる縦樋管と、一端部が屋外壁の外側に設けられる軒樋に連結され且つ他端部が連結手段を介して前記縦樋管に連結され、前記軒樋の水を該縦樋管に流す連絡樋管とを備えてなるものであることを特徴とする建屋排水装置である。
【００１０】
かかる構成にあっては、屋外床上の水と屋外壁の外側に設けた軒樋上の水とを、ルーフドレンの縦引管部に連結された縦樋管により排水することができる。例えば、景観のために勾配屋根を屋外壁に設けた建屋では、該屋外壁の壁厚が比較的厚くなることから、本構成を好適に用い得る。そして、本構成によれば、屋外床上の雨水等を、第一発明のルーフドレンを介して縦樋管により排水できると共に、勾配屋根を流下した雨水等を、軒樋と連絡樋管とを介して該縦樋管により排水できる。
さらに、本構成は、前記第一発明のルーフドレンを備えるものであることから、該第一発明と同様の作用効果を奏する。
【発明の効果】
【００１１】
本発明の第一発明にかかるルーフドレンにあっては、縦引き排水用であることから、比較的厚い屋外壁に連成された屋外床に好適に配設できる。そして、前記従来の縦引き排水用の構成に比して、壁面近くに配設できることから、屋外床の使用可能な床面積を広くでき、該屋外床を一層有効に活用可能である。
【００１２】
本発明の第二発明にかかる建屋排水装置にあっては、屋外床上の雨水等をルーフドレンを介して排水でき、かつ屋外壁の外側に配設した軒樋上の雨水等を連絡樋管を介して排水できる。尚、本構成は、第一発明のルーフドレンを備えた構成であることから、前述した第一発明の作用効果を奏する。
【図面の簡単な説明】
【００１３】
【図１】ルーフドレン１を備えた建屋排水装置５１の使用状態を示す縦断面図である。
【図２】ルーフドレン１の拡大縦断面図である。
【図３】ルーフドレン１の、（Ａ）平面図と、（Ｂ）正面図である。
【図４】ドレン本体２を構成するベース体１１の、（Ａ）平面図と、（Ｂ）Ｘ−Ｘ線断面図である。
【図５】従来構成の縦引き排水用ルーフドレン１０１の使用状態を示す縦断面図である。
【発明を実施するための形態】
【００１４】
本発明にかかる実施形態を添付図面に従って以下に説明する。
建屋排水装置５１は、図１に示すように、マンションやビル等の建屋のバルコニー等に配設されるものであり、本実施例にあっては、所定勾配で外側へ向かって下方傾斜する勾配屋根９１が設けられた屋外壁８２と、該屋外壁８２の内側に設けられた屋外床８１とから構成されるバルコニーに配設される。ここで、屋外壁８２は、前記勾配屋根９１が設けられており、壁厚（屋外床８１側の壁面８２ａから外面までの幅）が比較的厚い。そのため、横引き排水用のルーフドレンに不向きであり、本実施例にかかる縦引き用のルーフドレン１が好適に用いられる。尚、こうした勾配屋根９１を備えた屋外壁８２は、周囲の景観を考慮する建屋に設けられ得る。
【００１５】
前記建屋排水装置５１は、屋外壁８２の壁面８２ａと屋外床８１の床面８１ａとが交叉する入隅部８３に配設されるルーフドレン１と、該ルーフドレン１から雨水等を排水する縦樋管５２と、前記勾配屋根９１の下端縁に沿って配設された軒樋５７から該縦樋管５２へ雨水を流下させる連絡樋管５３とを備えてなる。尚、本実施例にあって、縦樋管５２、連絡樋管５３、および軒樋５７は、塩化ビニルやＦＲＰ等の硬質合成樹脂製である。
【００１６】
連絡樋管５３は、集水器とエルボとからなる軒連結体５４と、合わせ桝からなる縦樋連結体５５と、該軒連結体５４から縦樋連結体５５に至る呼び樋５６とから構成されており、呼び樋５６が、軒連結体５４に連結された一端から縦樋連結体５５に連結された他端まで下方傾斜するように設けられている。こうした連結樋管５３により、軒樋５７に流下した雨水等を前記縦樋管５２へ円滑に流すことができる。尚、前記軒連結体５４は、従来から公知の集水器とエルボとを適用できることから、詳細な説明を省略する。また、縦樋連結体５５は、従来から公知の合わせ桝を適用できることから、詳細な説明を省略する。尚、縦樋連結体５５が、本発明にかかる連結手段に相当する。
【００１７】
ルーフドレン１は、所謂縦引き排水用のものであり、図２，３に示すように、前記入隅部８３に埋設されるドレン本体２と、該ドレン本体２に取り付けられるストレーナ３とを備えてなる。ドレン本体２は、前記屋外壁８２の壁面８２ａに埋設される垂直受部１１と、前記屋外床８１の床面８１ａに埋設される水平受部１２とを備えた断面略Ｌ形のベース体１０と、該ベース体１０に取り付けられる断面略Ｌ形の防水層押え１４とを備えてなる。尚、本実施例にあって、ルーフドレン１を構成するドレン本体２（ベース体１０および防水層押え１４）とストレーナ３とは、鋳鉄、アルミニウム合金、ステンレス、ステンレス鋳鋼などの金属製や、塩化ビニル、ＦＲＰ等の硬質合成樹脂製である。
【００１８】
ベース体１０の垂直受部１１には、図４に示すように、背側（軒樋５７側）に窪む凹部２２（図２参照）と、該凹部２２の上方と左右側方とに所定幅で延成された平滑な被圧受面２１とが設けられる。また、ベース体１０の水平受部１２には、下側に窪む凹部２７と、該凹部２７の前方（壁面８２ａから離れる方）と左右側方とに所定幅で延成された平滑な被圧受面２６とが設けられている。垂直受部１１の被圧受面２１の下縁と水平受部１２の被圧受面２６の背縁とが連成されており、両被圧受面２１，２６により凹部２２，２７を囲繞している。また、水平受部１２の凹部２７には、上下方向に開口する通水孔１５が形成され、該通水孔１５を囲繞するように前記凹部２７から下方へ突成された円筒状の縦引管部１６が設けられている。縦引管部１６の下部内周面には、前記縦樋管５２の上端部外周面に形成された雄螺子部と螺合される雌螺子部が形成されている（図示せず）。そして、縦引管部１６と縦樋管５２とを螺合することにより、通水孔１５が縦樋管５２の内部と連通する。
ここで、本実施例のベース体１０にあって、水平受部１２は、被圧受面２６が水平方向に沿って屋外床８１に埋設されるものであり、縦引管部１６は、その中心線Ｙが水平受部１２の被圧受面２６に直交するように形成されたものである。こうした本実施例のルーフドレン１は、前記入隅部８３に配設された状態で、縦引管部１６の中心線Ｙが鉛直方向となり、該縦引管部１６に連結された縦樋管５２が鉛直方向に沿って配設される。
【００１９】
前記防水層押え１４は、図２，３に示すように、垂直受部１１の被圧受面２１に後述の防水シート８を介して宛がわれる垂直押え部３１と、水平受部１２の被圧受面２６に該防水シート８を介して宛がわれる水平押え部３２とを備え、垂直押え部３１と水平押え部３２とにより囲繞された開口部３３を備える。防水層押え１４は、ベース体１０の螺子取付部１９に螺入された螺子杆３８を挿通する挿通孔が設けられた取付部３４を備え、螺子杆３８に螺合するナット３９と該取付部３４との緊締によってベース体１０に取り付けられる。こうして取り付けられることにより、防水層押え１４は、開口部３３が垂直受部１１の凹部２２と水平受部１２の凹部２７とに対向すると共に、垂直押え部３１および水平押え部３２と被圧受面２１，２６とにより前記防水シート８の開口端縁９が挟持される。
【００２０】
前記ストレーナ３は、防水層押え１４の開口部３３を覆うようにして、該防水層押え１４にビス４８により固定される。ストレーナ３は、防水層押え１４の垂直押え部３１と水平押え部３２とに夫々設けられた複数の突起部３５により、前記開口部３３を覆う所定の取付位置に容易かつ正確に位置決めされて固定される。ここで、ストレーナ３は、略直角三角形状の左右側部と、左右側部の斜辺間に連成された傾斜部とを備え、左右側部と傾斜部とに複数の孔４が設けられており、該孔４を介して雨水などを通水可能となっている。
【００２１】
こうしたルーフドレン１は、前記ドレン本体２の縦引管部１６が、屋外床８１を上下方向に貫通する貫通孔８５に嵌入されて、前記入隅部８３に配設される。そして、貫通孔８５に下方から挿通された縦樋管５２の上端部が、前記縦引管部１６に螺合されることにより、該縦樋管５２が鉛直方向に沿って配設される。
【００２２】
本実施例のルーフドレン１は、縦引き排水用のものであり、屋外壁８２の壁厚が比較的厚い場合に、屋外床８１の下方へ排水するために適用され得る。かかる構成のルーフドレン１によれば、屋外床８１の雨水を、ストレーナ３の孔４と防水層押え１４の開口部３３とを介して、通水孔１５と連通する縦樋管５２へ流下させることができ、該雨水を円滑に排水できる。さらに、このルーフドレン１は、屋外床８１の床面８１ａと屋外壁８２の壁面８２ａとが交叉する入隅部８３に配設されるものであることから、前記した従来構成（図６の構成）に比して、屋外床８１の使用可能な床面積を広くとることができる。例えば、バルコニーに配設されることで、該バルコニーを広く使用できる。
また、本実施例のルーフドレン１は、水平方向に沿って屋外床８１に設置される水平受部１２の被圧受面２６に対して、中心線Ｙが直交するように縦引管部１６が形成されたものであるから、入隅部８３に設置した状態で該縦引管部１６が鉛直方向に沿って配され、該縦引管部１６に連結される縦樋管５２を該鉛直方向に沿って配設できる。これにより、縦樋管５２を建屋の外壁に沿って配設でき、該縦樋管５２の施工作業を容易かつ安定して行うことができ得る。
【００２３】
一方、本実施例の建屋排水装置５１は、前述したルーフドレン１により屋外床８１上の雨水を縦樋管５２により排水できると共に、屋外壁８２に設けられた勾配屋根９１を流下する雨水を、軒樋５７と連絡樋管５３とを介して縦樋管５２により排水できる。このように建屋排水装置５１は、周囲の景観を考慮して勾配屋根９１を備えたマンションやビルなどの建屋に好適に用いることができ、屋外床８１の雨水と勾配屋根９１を流下する雨水とを円滑かつ安定して排水することができる。さらに、この建屋排水装置５１は、縦引き排水用のルーフドレン１と、縦樋管５２と、軒樋５７から該縦樋管５２に連通させる連絡樋管５３とから構成されるものであるから、前記建屋に比較的容易に施工可能である。
【００２４】
本発明は、前述した実施例に限定されず、本発明の趣旨を逸脱しない範囲内で適宜変更することが可能である。
例えば、ストレーナは、通水孔へ通水可能な形態であれば良く、網状のものを適用することもできる。
【００２５】
前述の実施例のルーフドレンは、縦引管部が中心線を水平受部１２の被圧受面２６に直交するように設けたが、これに限らず、入隅部に配設された状態で該中心線が鉛直方向に沿うようにする構成であれば良い。例えば、水平受部（被圧受面）を床面（水平方向）に対して所定角度で傾斜させて設置する構成であれば、該設置された状態で縦引管部の中心線が鉛直方向に沿うように、該縦引管部を設ける。具体的には、水平受部（被圧受面）を床面（水平方向）に対して所定角度θで傾斜させて設置する構成では、水平受部（被圧受面）と縦引管部の中心線との角度δを、δ＝９０°±θとするように設けることが好適である。
【００２６】
前述の実施例のルーフドレンは、勾配屋根を設けた屋外壁と屋外床との入隅部に配設したが、これに限らず、勾配屋根を備えない屋外壁と屋外床との入隅部に配設することも可能である。特に、勾配屋根を備えない屋外壁が設けられた建屋であっても、該屋外壁の壁厚が比較的厚い場合には、実施例の縦引き排水用のルーフドレンが好適に用いられる。さらに、壁厚の薄い屋外壁が設けられた建屋であっても、実施例の縦引き排水用のルーフドレンを適用可能である。これらいずれの構成にあっても、ルーフドレンが入隅部に配設されることから、前述した実施例と同様に、従来構成（図６）に比して屋外床の床面積を広くとれるという作用効果を奏する。
【符号の説明】
【００２７】
１  ルーフドレン
２  ドレン本体
３  ストレーナ
１１  垂直受部
１２  水平受部
１５  通水孔
１６  縦引管部
５１  建屋排水装置
５２  縦樋管
５３  連絡樋管
５７  軒樋
８１  屋外床
８１ａ  床面
８２  屋外壁
８２ａ  壁面
８３  入隅部
８５  貫通孔
【図１】
2020197053.tif 000003
【図２】
2020197053.tif 000004
【図３】
2020197053.tif 000005
【図４】
2020197053.tif 000006
【図５】
2020197053.tif 000007